(57)【要約】【課題】  表皮シート末端の過度な引き延ばしによるシワ、破れ等が生じることなく強固に固着され、外観の良好な車両用内装パネルおよびその製造方法を提供する。【解決手段】  車両用内装パネル１は、裏壁３の一部を表壁２に向けて突出させて表壁２の裏面に一体に溶着された中空部４を隔離する直線状のヒンジ部７を有する。表壁２と裏壁３を繋ぐ周囲壁５にはパーティングライン８が形成される。パーティングライン８は、略直線状の部分８ａとヒンジ部７の近傍において表壁２側へ近接した部分８ｂからなる。表壁２には、樹脂シートに目付重量が２５０ｇ／ｍ2以下の不織布を接着した表皮シート９が一体に貼着されている。表皮シート９はその末端が周囲壁５に形成されるパーティングライン８に沿って固着される。樹脂シートの表面には立体模様１０が現出されている。【選択図】        図１
2006182208.tif 000002
【特許請求の範囲】
【請求項１】
間隔をおいて相対する表壁および裏壁を有する中空二重壁構造の車両用内装パネルであって、
前記車両用内装パネルは裏壁の一部を表壁に向けて突出させて表壁の裏面に一体に溶着された中空部を隔離する直線状のヒンジ部を有し、
表壁と裏壁を繋ぐ周囲壁にはパーティングラインが形成され、
前記パーティングラインは略直線状の部分とヒンジ部近傍において表壁側へ近接した部分からなり、
前記表壁には表皮シートが一体に貼着され、表皮シートの末端が周囲壁に形成される前記パーティングラインに沿って固着されている
ことを特徴とする車両用内装パネル。
【請求項２】
間隔をおいて相対する表壁および裏壁を有する中空二重壁構造の車両用内装パネルであって、
前記車両用内装パネルは裏壁の一部を表壁に向けて突出させて表壁の裏面に一体に溶着された中空部を隔離する直線状のヒンジ部を有し、
表壁と裏壁を繋ぐ周囲壁にはパーティングラインが形成され、
前記パーティングラインは略直線状の部分とヒンジ部近傍において表壁側へ近接した部分からなり、
前記表壁には樹脂シートに目付重量が２５０ｇ／ｍ2以下の不織布を接着した表皮シートが一体に貼着され、
表皮シートの末端が周囲壁に形成される前記パーティングラインに沿って固着されるとともに、
樹脂シートの表面には立体模様が現出されている
ことを特徴とする車両用内装パネル。
【請求項３】
表壁は略平坦に形成されており、
ヒンジ部分は表壁と略同一面に形成されている
ことを特徴とする請求項１または２記載の車両用内装パネル。
【請求項４】
表壁および裏壁との間には裏壁の一部を表壁に向けて突出させて表壁の裏面に一体に溶着し、かつその突出部分の両側面を互いに溶着一体とした板状構造のインナーリブが形成されており、
複数のインナーリブがヒンジ部と略平行に形成されている
ことを特徴とする請求項１、２または３記載の車両用内装パネル。
【請求項５】
周囲壁に形成されたパーティングラインより表壁側寄りの部分にはその略全周にわたって段部が形成されており、表皮シートの末端が前記段部に沿って固着されている
ことを特徴とする請求項１、２、３または４記載の車両用内装パネル。
【請求項６】
車両用内装パネルはその平均厚さが２５．０ｍｍ以下に形成されており、
パーティングラインの略直線状の部分が表壁と裏壁の周囲をつなぐ周囲壁において表壁面からパネルの平均厚さの５〜６５％の範囲内または表壁面より平均３〜１８ｍｍの範囲内に形成されており、
周囲壁の段部から表壁を繋ぐ部分が緩やかな曲面を有している
ことを特徴とする請求項５記載の車両用内装パネル。
【請求項７】
表皮シートはブロー成形時に一体に貼着されるとともに、
金型に押圧されることによりキャビティ面の模様を樹脂シートの表面に転写した立体模様を有する
ことを特徴とする請求項２、３、４、５または６記載の車両用内装パネル。
【請求項８】
表皮シートは１００℃における引張弾性率が５００ｋｇ／ｃｍ2未満であり、
１００℃における引張降伏点強度が５０ｋｇ／ｃｍ2以下である
ことを特徴とする請求項２、３、４、５、６または７記載の車両用内装パネル。
【請求項９】
樹脂シートはオレフィン系エラストマーからなり、
貫通孔が形成されていない
ことを特徴とする請求項８記載の車両用内装パネル。
【請求項１０】
一方の金型と他方の金型からなる一対の分割金型を用いて熱可塑性プラスチックからなる中空二重壁構造の車両用内装パネルをブロー成形により製造する方法であって、
一方の金型は一方のキャビティおよび略直線状のピンチオフ形成部と前記キャビティ面に近接したピンチオフ形成部からなる型割面を有し、
他方の金型はヒンジ形成部を有する他方のキャビティおよび略直線状のピンチオフ形成部と前記一方の金型のキャビティ面に近接したピンチオフ形成部に対応したピンチオフ形成部からなる型割面を有し、
一方の金型と他方の金型との間に熱可塑性プラスチックからなるパリソンを垂下するとともに、
前記パリソンと一方の金型との間に表皮シートを配置して型締めして前記型割面に対応したパーティングラインを形成し、
他方の金型に設けたヒンジ形成部によりパリソンの一部を一体に溶着させて、
次いでパリソン内に圧力流体を導入してブロー圧により中空部を隔離するヒンジ部を形成するとともに、パリソンをキャビティ面に押圧させて表皮シートの末端をパーティングラインに沿って一体に貼着させる
ことを特徴とする車両用内装パネルの製造方法。
【請求項１１】
一方の金型と他方の金型からなる一対の分割金型を用いて熱可塑性プラスチックからなる中空二重壁構造の車両用内装パネルをブロー成形により製造する方法であって、
一方の金型は立体形状転写面を有する一方のキャビティおよび略直線状のピンチオフ形成部と前記キャビティ面に近接したピンチオフ形成部からなる型割面を有し、
他方の金型はヒンジ形成部を有する他方のキャビティおよび略直線状のピンチオフ形成部と前記一方の金型のキャビティ面に近接したピンチオフ形成部に対応したピンチオフ形成部からなる型割面を有し、
一方の金型と他方の金型との間に熱可塑性プラスチックからなるパリソンを垂下するとともに、
前記パリソンと一方の金型との間に表皮シートを配置して型締めして前記型割面に対応したパーティングラインを形成し、
他方の金型に設けたヒンジ形成部によりパリソンの一部を一体に溶着させて、
次いでパリソン内に圧力流体を導入してブロー圧により中空部を隔離するヒンジ部を形成するとともに、表皮シートを一方のキャビティに押圧させて立体形状転写面に対応した立体模様を表皮シートの表面に転写させ、
表皮シートの末端をパーティングラインに沿って一体に貼着させる
ことを特徴とする車両用内装パネルの製造方法。
【請求項１２】
他方のキャビティにはヒンジ形成部と略平行に複数の進退自在なスライドコアを有し、
一方の金型と他方の金型との間に熱可塑性プラスチックからなるパリソンを垂下するとともに、
前記パリソンと一方の金型との間に表皮シートを配置して型締めして型割面に対応したパーティングラインを形成し、
他方の金型に設けたヒンジ形成部およびスライドコアによりパリソンの一部をそれぞれ一体に溶着させて、
次いでスライドコアをキャビティ面まで後退させるとともに周囲壁のピンチオフ形成部近傍より吹込みピンを突き刺し、パリソン内に圧力流体を導入してブロー圧により中空部を隔離するヒンジ部および表壁と裏壁を繋ぐ板状のインナーリブを形成し、
表皮シートの末端をパーティングラインに沿って一体に貼着させる
ことを特徴とする請求項１０または１１記載の車両用内装パネルの製造方法。
【請求項１３】
表皮シートは１００℃における引張降伏点強度が５０ｋｇ/ｃｍ2以下であって、貫通孔を有しない樹脂シートに目付重量が２５０ｇ/ｍ2以下の不織布を接着した２層構造からなり、
不織布が接着された側をパリソンに対向するように配置する
ことを特徴とする請求項１１または１２記載の車両用内装パネルの製造方法。
【請求項１４】
一対の分割金型の一方のキャビティにはピンチオフ形成部に沿ってキャビティの全周に段部形成部を有しており、
一方のキャビティの段部形成部において表皮シートの末端をパリソンと押圧させて一体に固着させる
ことを特徴とする請求項１１、１２または１３記載の車両用内装パネルの製造方法。
【請求項１５】
表皮シートは分割金型の一方のキャビティとパリソンの間に配置され、
加熱工程により軟化させることなく型締めする
ことを特徴とする請求項１１、１２、１３または１４記載の車両用内装パネルの製造方法。
【発明の詳細な説明】
【技術分野】
【０００１】
本発明は、車両用内装パネルおよびその製造方法に関するものである。本発明に係る車両用内装パネルはフロアパネル、ラゲッジボード、リアパーセルシェルフなど自動車の荷室等の蓋体パネル、棚板などとして用いられるものであり、表皮シートを一体に貼着したブロー成形製の中空二重壁パネルである。表皮シートは不織布等または樹脂シートに不織布を積層したものであり、樹脂シートは熱可塑性樹脂からなり立体模様が形成されている。
【背景技術】
【０００２】
自動車用フロアパネルは、一般にパネルの下部に配置されたフロアボックスの蓋体として用いられ、区分けされたフロアボックスに対応して部分的な開閉が可能となるようフロアパネル自体を分割して複数形成するかまたは複数のフロアパネルをヒンジを介して一体に形成することがなされていた。さらに、フロアパネルの表壁には不織布からなる表皮シートが一体に溶着されたものが用いられていたが、近年自動車の荷室等の活用方法が多様化してきており、従来の不織布を貼着したパネルの他にシボ模様等の立体模様が施された樹脂シートを一体に溶着したパネルなどが要望されるようになってきた。
【０００３】
例えば、特開平９−３９０７８号公報には、布張り中空成形品（パネル）の表壁に表皮シート、発泡体、繊維シートの３層構造の装飾布をブロー成形時に一体に貼着させたものであって、繊維シートが目付重量５０〜２５０ｇ／ｍ2の不織布であることが記載されている。特開平９−３９０７９号公報には、布張り中空成形品（パネル）の表壁に樹脂シートと繊維シートを接着した表皮シートをブロー成形時に一体に貼着させたものであって、樹脂シートは引張弾性率が３０００〜１２０００ｋｇ／ｃｍ2のポリプロピレンまたはＰＥＴ樹脂であることが記載されている。特開昭６２−２５５１１７公報には、ブロー成形時に被覆層（表皮シート）を加熱して一体に貼着する成形方法に関し、表皮シートは軟質ＰＶＣに不織布を接着させたもので、金型の凹凸模様を転写させることが記載されている。さらに、ブロー成形持にパリソンの一部を圧縮薄肉化して凹溝を有するヒンジ部を形成することが特開２００１−２７７３４２公報および特開２００４−７４６６０公報にそれぞれ記載されており、表皮シートの接着強度を向上させる観点より表皮シートとパリソンの間に不織布を介在させることが記載されている。
【特許文献１】特開平９−３９０７８号公報
【特許文献２】特開平９−３９０７９号公報
【特許文献３】特開昭６２−２５５１１７公報
【特許文献４】特開２００１−２７７３４２公報
【特許文献５】特開２００４−７４６６０公報
【発明の開示】
【発明が解決しようとする課題】
【０００４】
ところで、表皮シートの末端およびヒンジ部分においてはパネルとの剥離が生じやすいという問題がある。ブロー成形時に樹脂シートをパリソンに一体に貼着させる場合、樹脂シートとパリソンの間にエアが溜まるのを防止するためおよび樹脂シートとパリソンの接着強度を向上させるために樹脂シートは発泡体や不織布等を介在させたものを用いるが、特に樹脂シートの末端およびヒンジ部分においては未だ接着強度が充分でなく、樹脂シートの剥がれおよび浮き上がり等を防止するために樹脂シート末端をスライド金型を用いてパネルの裏面に巻き込み一体に成形したり、ヒンジ部分に表皮シート側から広い幅の凹部を形成して接着面積を広くするなどの対策が必要であった。
【０００５】
さらに、金型のキャビティ面に形成したシボ模様またはエンボスパターンなどの立体模様を表皮シートに転写させて表皮シートの表面に立体模様を現出させる場合にあっては、表壁に凹部を形成すると平坦部分との関係で転写性にムラが生じ、シボ模様などの立体模様が部分的に転写が不充分でダレたり、潰れたりして外観が低下する問題があった。
【０００６】
そこで本発明は、中空二重壁構造のパネルの表壁と裏壁を繋ぐ周囲壁に、略直線状の部分とヒンジ部近傍において表壁側へ近接した部分からなるパーティングラインを形成し、表皮シートの末端を周囲壁に形成されたパーティングラインに沿って貼着することにより、表壁には不要な凹部が形成されることなく略平坦な面を得ることができるとともに表皮シートの末端が強固に固着されて剥がれが生じない。また、パーティングラインに段部を併設することで表皮シート末端の過度な引き延ばしによるシワ、破れ等が生じることなく強固に固着され、さらにパーティングラインを形成する分割金型の型割面がヒンジ部に対応する位置においていわゆるクセ割によって表壁側に近接した位置に形成されているため表皮シートの末端は強固に固着され、ヒンジ部の動きによるシート末端の剥がれが防止されるとともに、表壁が略平坦に形成されるため表皮シートの表面に立体模様を転写させた場合であっても転写性のムラが生じず外観の良好な車両用内装パネルを提供することを目的とするものである。
【課題を解決するための手段】
【０００７】
上記目的を達成するための本発明の請求項１に係る車両用内装パネルは、間隔をおいて相対する表壁および裏壁を有する中空二重壁構造の車両用内装パネルであって、前記車両用内装パネルは裏壁の一部を表壁に向けて突出させて表壁の裏面に一体に溶着された中空部を隔離する直線状のヒンジ部を有し、表壁と裏壁を繋ぐ周囲壁にはパーティングラインが形成され、前記パーティングラインは略直線状の部分とヒンジ部近傍において表壁側へ近接した部分からなり、前記表壁には表皮シートが一体に貼着され、表皮シートの末端が周囲壁に形成される前記パーティングラインに沿って固着されていることを特徴とするものである。
【０００８】
本発明の請求項２に係る車両用内装パネルは、間隔をおいて相対する表壁および裏壁を有する中空二重壁構造の車両用内装パネルであって、前記車両用内装パネルは裏壁の一部を表壁に向けて突出させて表壁の裏面に一体に溶着された中空部を隔離する直線状のヒンジ部を有し、表壁と裏壁を繋ぐ周囲壁にはパーティングラインが形成され、前記パーティングラインは略直線状の部分とヒンジ部近傍において表壁側へ近接した部分からなり、前記表壁には樹脂シートに目付重量が２５０ｇ／ｍ2以下の不織布を接着した表皮シートが一体に貼着され、表皮シートの末端が周囲壁に形成される前記パーティングラインに沿って固着されるとともに、樹脂シートの表面には立体模様が現出されていることを特徴とするものである。
【０００９】
本発明の請求項２３に係る車両用内装パネルは、請求項１または２記載の構成において、表壁は略平坦に形成されており、ヒンジ部分は表壁と略同一面に形成されていることを特徴とするものである。
【００１０】
本発明の請求項４に係る車両用内装パネルは、請求項１、２または３記載の構成において、表壁および裏壁との間には裏壁の一部を表壁に向けて突出させて表壁の裏面に一体に溶着し、かつその突出部分の両側面を互いに溶着一体とした板状構造のインナーリブが形成されており、複数のインナーリブがヒンジ部と略平行に形成されていることを特徴とするものである。
【００１１】
本発明の請求項５に係る車両用内装パネルは、請求項１、２、３または４記載の構成において、周囲壁に形成されたパーティングラインより表壁側寄りの部分にはその略全周にわたって段部が形成されており、表皮シートの末端が前記段部に沿って固着されていることを特徴とするものである。
【００１２】
本発明の請求項６に係る車両用内装パネルは、請求項５記載の構成において、車両用内装パネルはその平均厚さが２５．０ｍｍ以下に形成されており、パーティングラインの略直線状の部分が表壁と裏壁の周囲をつなぐ周囲壁において表壁面からパネルの平均厚さの５〜６５％の範囲内または表壁面より平均３〜１８ｍｍの範囲内に形成されており、周囲壁の段部から表壁を繋ぐ部分が緩やかな曲面を有していることを特徴とするものである。
【００１３】
本発明の請求項７に係る車両用内装パネルは、請求項２、３、４、５または６記載の構成において、表皮シートはブロー成形時に一体に貼着されるとともに、金型に押圧されることによりキャビティ面の模様を樹脂シートの表面に転写した立体模様を有することを特徴とするものである。
【００１４】
本発明の請求項８に係る車両用内装パネルは、請求項２、３、４、５、６または７記載の構成において、表皮シートは１００℃における引張弾性率が５００ｋｇ／ｃｍ2未満であり、１００℃における引張降伏点強度が５０ｋｇ／ｃｍ2以下であることを特徴とするものである。
【００１５】
本発明の請求項９に係る車両用内装パネルは、請求項８記載の構成において、樹脂シートはオレフィン系エラストマーからなり、貫通孔が形成されていないことを特徴とするものである。
【００１６】
また、本発明の請求項１０に係る車両用内装パネルの製造方法は、一方の金型と他方の金型からなる一対の分割金型を用いて熱可塑性プラスチックからなる中空二重壁構造の車両用内装パネルをブロー成形により製造する方法であって、一方の金型は一方のキャビティおよび略直線状のピンチオフ形成部と前記キャビティ面に近接したピンチオフ形成部からなる型割面を有し、他方の金型はヒンジ形成部を有する他方のキャビティおよび略直線状のピンチオフ形成部と前記一方の金型のキャビティ面に近接したピンチオフ形成部に対応したピンチオフ形成部からなる型割面を有し、一方の金型と他方の金型との間に熱可塑性プラスチックからなるパリソンを垂下するとともに、前記パリソンと一方の金型との間に表皮シートを配置して型締めして前記型割面に対応したパーティングラインを形成し、他方の金型に設けたヒンジ形成部によりパリソンの一部を一体に溶着させて、次いでパリソン内に圧力流体を導入してブロー圧により中空部を隔離するヒンジ部を形成するとともに、パリソンをキャビティ面に押圧させて表皮シートの末端をパーティングラインに沿って一体に貼着させることを特徴とするものである。
【００１７】
本発明の請求項１１に係る車両用内装パネルの製造方法は、一方の金型と他方の金型からなる一対の分割金型を用いて熱可塑性プラスチックからなる中空二重壁構造の車両用内装パネルをブロー成形により製造する方法であって、一方の金型は立体形状転写面を有する一方のキャビティおよび略直線状のピンチオフ形成部と前記キャビティ面に近接したピンチオフ形成部からなる型割面を有し、他方の金型はヒンジ形成部を有する他方のキャビティおよび略直線状のピンチオフ形成部と前記一方の金型のキャビティ面に近接したピンチオフ形成部に対応したピンチオフ形成部からなる型割面を有し、一方の金型と他方の金型との間に熱可塑性プラスチックからなるパリソンを垂下するとともに、前記パリソンと一方の金型との間に表皮シートを配置して型締めして前記型割面に対応したパーティングラインを形成し、他方の金型に設けたヒンジ形成部によりパリソンの一部を一体に溶着させて、次いでパリソン内に圧力流体を導入してブロー圧により中空部を隔離するヒンジ部を形成するとともに、表皮シートを一方のキャビティに押圧させて立体形状転写面に対応した立体模様を表皮シートの表面に転写させ、表皮シートの末端をパーティングラインに沿って一体に貼着させることを特徴とするものである。
【００１８】
本発明の請求項１２に係る車両用内装パネルの製造方法は、請求項１０、１１記載の方法において、他方のキャビティにはヒンジ形成部と略平行に複数の進退自在なスライドコアを有し、一方の金型と他方の金型との間に熱可塑性プラスチックからなるパリソンを垂下するとともに、前記パリソンと一方の金型との間に表皮シートを配置して型締めして型割面に対応したパーティングラインを形成し、他方の金型に設けたヒンジ形成部およびスライドコアによりパリソンの一部をそれぞれ一体に溶着させて、次いでスライドコアをキャビティ面まで後退させるとともに周囲壁のピンチオフ形成部近傍より吹込みピンを突き刺し、パリソン内に圧力流体を導入してブロー圧により中空部を隔離するヒンジ部および表壁と裏壁を繋ぐ板状のインナーリブを形成し、表皮シートの末端をパーティングラインに沿って一体に貼着させることを特徴とするものである。
【００１９】
本発明の請求項１３に係る車両用内装パネルの製造方法は、請求項１１、１２記載の方法において、表皮シートは１００℃における引張降伏点強度が５０ｋｇ／ｃｍ2以下であって、貫通孔を有しない樹脂シートに目付重量が２５０ｇ／ｍ2以下の不織布を接着した２層構造からなり、不織布が接着された側をパリソンに対向するように配置することを特徴とするものである。
【００２０】
本発明の請求項１４に係る車両用内装パネルの製造方法は、請求項１１、１２または１３記載の方法において、一対の分割金型の一方のキャビティにはピンチオフ形成部に沿ってキャビティの全周に段部形成部を有しており、一方のキャビティの段部形成部において表皮シートの末端をパリソンと押圧させて一体に固着させることを特徴とするものである。
【００２１】
本発明の請求項１５に係る車両用内装パネルの製造方法は、請求項１１、１２、１３または１４記載の方法において、表皮シートは分割金型の一方のキャビティとパリソンの間に配置され、加熱工程により軟化させることなく型締めすることを特徴とするものである。
【発明の効果】
【００２２】
本発明によれば、中空二重壁構造のパネルの表壁と裏壁を繋ぐ周囲壁に、略直線状の部分とヒンジ部近傍において表壁側へ近接した部分からなるパーティングラインが形成され、表皮シートの末端が周囲壁に形成されたパーティングラインに沿って貼着されているので、表壁には不要な凹部が形成されることなく略平坦な面を得ることができるとともに表皮シートの末端が強固に固着されて剥がれが生じない。また、パーティングラインに段部を併設することで表皮シート末端の過度な引き延ばしによるシワ、破れ等が生じることなく強固に固着され、さらにパーティングラインを形成する分割金型の型割面がヒンジ部に対応する位置においていわゆるクセ割によって表壁側に近接した位置に形成されているため表皮シートの末端は強固に固着され、ヒンジ部の動きによるシート末端の剥がれが防止されるとともに、表壁が略平坦に形成されるため表皮シートの表面に立体模様を転写させた場合であっても転写性のムラが生じず外観の良好な車両用内装パネルを得ることができる。
【発明を実施するための最良の形態】
【００２３】
図１は本発明に係る車両用内装パネルの斜視図、図２はその一部の詳細斜視図、図３は同上断面図、図４は同上詳細断面図、図５は本発明に係る車両用内装パネルの一例であるフロアパネルを自動車に装備した態様を示す斜視図である。
【００２４】
図１ないし図４において、１は車両用内装パネルである。この車両用内装パネル１は、熱可塑性樹脂をブロー成形した中空二重壁構造のものであって、間隔をおいて相対する表壁２および裏壁３を有し、表壁２と裏壁３との間に中空部４を形成する周囲壁５を有しており、表壁２および裏壁３との間には裏壁３の一部を表壁に向けて突出させてその先端を表壁２の裏面に一体に溶着し、かつその突出部分の両側面を互いに溶着一体とした構造のインナーリブ６が形成されている。
【００２５】
インナーリブ６は、裏壁の一部が突出して引き伸ばされ、その壁面が折り畳まれて二枚分の壁面が一体に溶着した板状の構造を有しており、外観には折れ肉による一本の筋のみ現出され、凹みなどの形状が現れない。また、インナーリブ６はヒンジ部７と平行して複数形成されており、ヒンジ部７と平行して伸びるインナーリブ６の両端は周囲壁５と間隔を空けて形成されており、中空部４はヒンジ部７のみによって隔離され、インナーリブ６によっては隔離されていないため、ブロー成形時に加圧流体がインナーリブ６によって阻害されることなく連通した中空部４に充満される。
【００２６】
前記車両用内装パネル１は、裏壁３の一部を表壁２に向けて突出させて表壁２の裏面３に一体に溶着された中空部４を隔離する直線状のヒンジ部７を有しており、表壁２と裏壁３を繋ぐ前記周囲壁５にはパーティングライン８が形成されている。ヒンジ部７は表壁２と裏壁３を溶着させた直線状の薄肉の単壁構造であり、ヒンジ部７を介してパネルの一部を開閉自在とすることができる。さらに、パーティングライン８は略直線状の部分８ａとヒンジ部７の近傍において表壁２側へ近接した部分８ｂからなっている。表壁２は略平坦に形成されており、ヒンジ部７は表壁２と略同一面に形成されている。これにより、ヒンジ部７に対応する位置の表壁２には凹溝などの凹みがなく、車両用内装パネル１の上に荷物等を載置した場合にガタツキや引っ掛かり等が生じることがないうえ、金型により立体模様を転写する際に立体模様が伸びやムラ等の変形が生じることなく外観の良好な車両用内装パネル１を得ることができる。
【００２７】
表壁２には表皮シート９が一体に貼着されており、表皮シート９は、天然繊維、再生繊維、半合成繊維、合成繊維およびこれらのブレンドからなる繊維を加工して得られる編物、織物、不織布、またはポリ塩化ビニル（ＰＶＣ）、熱可塑性ポリウレタンエラストマー（ＴＰＵ）または熱可塑性ポリオレフィンエラストマー（ＴＰＯ）などの熱可塑性エラストマー（ＴＰＥ）、ポリエチレンポリオレフィン系樹脂などの熱可塑性樹脂からなる樹脂シートおよびこれらの積層シートから適宜選択可能である。
【００２８】
表皮シート９は樹脂シートに目付重量が２５０ｇ／ｍ2以下の不織布を接着した２層構造からなるものが特に好適であり、１００℃における引張弾性率が５００ｋｇ／ｃｍ2未満であり、好ましくは３００ｋｇ／ｃｍ2未満である。また、１００℃における引張降伏点強度が５０ｋｇ／ｃｍ2以下であり、好ましくは３０ｋｇ／ｃｍ2以下である。ここで、引張弾性率および引張降伏点強度（引張降伏強さ）についてはＪＩＳ−Ｋ−７１１３に準拠して測定される。試験片は２号試験片を用い、試験速度は５０ｍｍ／ｍｉｎで行う。ただし、環境温度を１００℃として試験片の温度が安定した後に測定を行った。樹脂シートの表面には立体模様１０が現出されている。表皮シート９はブロー成形時に表壁２に対して一体に貼着されるとともに、立体模様１０は金型に押圧されることによりキャビティ面の模様を樹脂シートの表面に転写される。表皮シート９を構成する樹脂シートはオレフィン系エラストマーが好適であり、貫通孔が形成されていないものである。
【００２９】
前記周囲壁５に形成されたパーティングライン８より表壁側２寄りの部分には、その略全周にわたって段部１１が形成されており、表皮シート９の末端が前記段部１１に沿って固着されている。
【００３０】
車両用内装パネル１は、図４に示すように、その平均厚さ（ａ）が２５．０ｍｍ以下に形成されており、表壁２と裏壁３の周囲を繋ぐ周囲壁５において表壁２面からパネルの平均厚さの３５％の範囲内または表壁２面から８．０ｍｍ以下の厚さの範囲内（ｂ）にパーティングライン８が形成されており、周囲壁５に形成されたパーティングライン８より表壁２側寄りの部分の略全周にわたっている段部１１の幅は（ｃ）であるが、その幅（ｃ）は表皮シート９の末端の固着に要する略最小限の幅に形成される。具体的には段部１１の幅（ｃ）が０．５〜１０．０ｍｍの範囲で周囲壁５の略全周に渡って形成される。０．５ｍｍ未満であると表皮シート末端の接着強度が不充分となり、１０．０ｍｍより大きくするとパネルの外観上好ましくない。また、周囲壁５のうち表壁２面から段部１１までの間の部分は緩やかな曲面を有しており、表皮シートがブロー成形時に不要に引き伸ばされるのを防止することができる。インナーリブ６を形成した部位に対応する裏壁３の表面には、パネルの壁面の厚さより浅い凹溝１２が形成されている。
【００３１】
図１ないし図４に例示する車両用内装パネル１は、自動車のフロアパネル１３であって、このフロアパネル１３は、図５に示すように、自動車１４の荷室１５内に装備される。
【００３２】
車両用内装パネル１を構成する熱可塑性樹脂は、ブロー成形が可能なものであればよく、ポリエチレン樹脂、ポリプロピレン樹脂、エチレン−酢酸ビニル共重合体、塩化ビニル樹脂、ＡＢＳ樹脂（アクリロニトリル−スチレン−ブタジエン樹脂）、ポリアミド樹脂、ポリスチレン樹脂、ポリエステル樹脂、ポリカーボネート樹脂、変性ポリフェニレンエーテル等のエンジニアリング・プラスチックなどが好適であり、適宜にガラス繊維、カーボンファイバー、炭酸カルシウム、タルク、マイカなどの充填材を添加することができる。
【００３３】
本発明に係る車両用内装パネル１は、図６ないし図８に示す態様の貼り合せブロー成形方法によりブロー成形される。図６は表皮付きブロー成形品のブロー成形態様を示す断面図、図７は図６の一部拡大断面図、図８は型閉め後ブロー成形を完了した態様を示す一部拡大断面図である。
【００３４】
図６ないし図８において、１６，１７は一対の分割金型であり、その一方の金型１６のキャビティは、樹脂シート９の表面に形成する立体模様１０を転写するための立体形状転写面１８をなしている。他方の金型１７にはインナーリブ６を形成するためのスライドコア１９を設けてある。一方の金型１６は略直線状のピンチオフ形成部２０と前記キャビティ面に近接したピンチオフ形成部２１からなる型割面２２を有しており、他方の金型１７は、ヒンジ形成部２３を有する他方の金型１７のキャビティおよび略直線状のピンチオフ形成部２０と前記一方の金型１６のキャビティ面に近接したピンチオフ形成部２１に対応したピンチオフ形成部２４からなる型割面２５を有している。２６は押出ヘッド、２７はパリソンである。
【００３５】
車両用内装パネル１をブロー成形するにあたっては、一方の金型１６と他方の金型１７との間に熱可塑性プラスチックからなるパリソン２７を垂下するとともに、前記パリソン２７と一方の金型１６との間に表皮シート９を配置する。表皮シート９は、１００℃における引張降伏点強度が５０ｋｇ/ｃｍ2以下であって、貫通孔を有しない樹脂シートに目付重量が２５０ｇ/ｍ2以下の不織布を接着した２層構造からなり、不織布が接着された側をパリソン２７に対向するように配置する。次いで型締めして前記型割面２２，２５に対応したパーティングライン８を形成するとともに、他方の金型１７に設けたヒンジ形成部２３および前進させたスライドコア２０によりパリソン２６の一部を一体に溶着させる。次いでスライドコア２０を後退させるとともにパリソン２７内に圧力流体を導入してブロー圧によりパリソン２７をキャビティ面に押圧し、中空部４を隔離するヒンジ部７およびインナーリブ６を形成するとともに、表皮シート９を一方の金型１６のキャビティに押圧させて立体形状転写面に対応した立体模様１０を表皮シート９の表面に転写させ、表皮シート９の末端をパーティングライン８に沿って一体に貼着させる。ここで、表皮シート９は一方の金型１６のキャビティとパリソン２７との間に配置され、加熱工程により軟化させることなく型締めされる。またパリソン２７を分割金型間に垂下させた後、型締め前にはパリソン内にプリブローによる加圧流体を導入することが成形上好ましい。
【００３６】
上記車両用内装パネル１は、図示のように、押出ヘッド２６より押し出された円筒状のパリソン２６を用いた所謂ダイレクトブロー成形により製造する例を示したが、これに代えて所謂シートブロー成形により、予め成形したオレフィン系樹脂シートを金型間に配置および加熱溶融させてブロー成形を行うものまたは溶融押出されたシート状パリソンを用いるものであっても好適に成形することが可能である。
【００３７】
本発明によれば、中空二重壁構造のパネルの表壁２と裏壁３を繋ぐ周囲壁５に、略直線状の部分８ａとヒンジ部７の近傍において表壁２側へ近接した部分８ｂからなるパーティングライン８を形成して、表皮シート９の末端を周囲壁５に形成されたパーティングライン８に沿って貼着しているので、表壁には不要な凹部が形成されることなく略平坦な面を得ることができるとともに表皮シートの末端が強固に固着されて剥がれが生じない。また、パーティングラインに段部を併設することで表皮シート９はその末端に過度な引き延ばしによるシワ、破れ等が生じさせることなく強固に固着される。また、パーティングライン８を形成する分割金型の型割面２２がヒンジ部７に対応する位置においていわゆるクセ割によって表壁２側に近接した位置に形成されているため、表皮シート９の末端は強固に固着され、ヒンジ部の動きによるシート末端の剥がれが防止される。そのうえ表壁２が略平坦に形成されるため表皮シート９の表面に立体模様１０を転写させた場合であっても転写性のムラが生じず外観の良好な車両用内装パネル１を得ることができる。
【図面の簡単な説明】
【００３８】
【図１】本発明に係る車両用内装パネルの斜視図である。
【図２】同上一部の詳細斜視図である。
【図３】同上断面図である。
【図４】図３の一部詳細断面図である。
【図５】本発明に係る車両用内装パネルの一例であるフロアパネルを自動車に装備した態様を示す斜視図である。
【図６】表皮付きブロー成形品のブロー成形態様を示す断面図である。
【図７】図６の一部拡大断面図である。
【図８】型閉め後ブロー成形を完了した態様を示す一部拡大断面図である。
【符号の説明】
【００３９】
１  車両用内装パネル
２  表壁
３  裏壁
４  中空部
５  周囲壁
６  インナーリブ
７  ヒンジ部
８  パーティングライン
８ａ  略直線状の部分
８ｂ  ヒンジ部の近傍において表壁側へ近接した部分
９  表皮シート
１０  立体模様
１１  段部
１２  凹溝
１３  フロアパネル
１４  自動車
１５  荷室
１６，１７  分割金型
１８  立体形状転写面
１９  スライドコア
２０  略直線状のピンチオフ形成部
２１  キャビティ面に近接したピンチオフ形成部
２２  型割面
２３  ヒンジ形成部
２４  ピンチオフ形成部
２５  型割面
２６  押出ヘッド
２７  パリソン
ａ  車両用内装パネルの平均厚さ
ｂ  側壁において表壁面からのパネルの平均厚さ
ｃ  段部の幅
【図１】
2006182208.tif 000003
【図２】
2006182208.tif 000004
【図３】
2006182208.tif 000005
【図４】
2006182208.tif 000006
【図５】
2006182208.tif 000007
【図６】
2006182208.tif 000008
【図７】
2006182208.tif 000009
【図８】
2006182208.tif 000010